(57)【要約】  空気を殺菌し、空気中の悪臭を減らす配合物を提供する。配合物は、悪臭吸収性化合物と、単独で混合された場合に悪臭吸収性化合物と化学的に不適合である抗菌性化合物と、可溶化剤と、可溶化剤の存在下で悪臭吸収性化合物が抗菌性化合物と混合された場合に沈殿物又は濁った溶液の形成を防ぐ悪臭吸収性化合物用キレート剤とを含む。【特許請求の範囲】
【請求項１】
悪臭吸収性化合物と、
単独で混合された場合に前記悪臭吸収性化合物と化学的に不適合である抗菌性化合物と、
可溶化剤と、
前記可溶化剤の存在下で、前記悪臭吸収性化合物が前記抗菌性化合物と混合された場合に沈殿物又は濁った溶液の形成を防ぐ悪臭吸収性化合物用キレート剤と、
を含む、空気を殺菌し、空気中の悪臭を減らす配合物。
【請求項２】
前記悪臭吸収性化合物が、リシノール酸亜鉛である、請求項１に記載の配合物。
【請求項３】
５重量％未満（総重量比率）のリシノール酸亜鉛を含む、請求項２に記載の配合物。
【請求項４】
微生物性化合物が、Ｎ−アルキルアミノプロピルグリシンである、請求項１〜３のいずれか一項に記載の配合物。
【請求項５】
１０重量％未満（総重量比率）のＮ−アルキルアミノプロピルグリシンを含む、請求項４に記載の配合物。
【請求項６】
前記キレート剤が、イミノジコハク酸ナトリウムである、請求項１〜５のいずれか一項に記載の配合物。
【請求項７】
５重量％未満（総重量比率）のイミノジコハク酸ナトリウムを含む、請求項６に記載の配合物。
【請求項８】
前記可溶化剤が、植物由来の親水性エモリエントエステルと水素化ひまし油のポリエチレングリコール（ＰＥＧ）誘導体との組合せ、アルコール、グリコール及びそれらの混合物からなる群から選択される、請求項１〜７のいずれか一項に記載の配合物。
【請求項９】
前記可溶化剤が、エトキシ化パーム核油である、請求項８に記載の配合物。
【請求項１０】
前記可溶化剤が、ＰＥＧ−４５パーム核グリセリドとＰＥＧ−６カプリン酸／カプリル酸グリセリドとの組合せである、請求項９に記載の配合物。
【請求項１１】
４０重量％未満（総重量比率）のＰＥＧ−４５パーム核グリセリド及びＰＥＧ−６カプリン酸／カプリル酸グリセリドを含む、請求項１０に記載の配合物。
【請求項１２】
前記可溶化剤が、エタノールをさらに含む、請求項１１に記載の配合物。
【請求項１３】
５重量％未満（総重量比率）のエタノールを含む、請求項１２に記載の配合物。
【請求項１４】
前記可溶化剤が、ジプロピレングリコールをさらに含む、請求項１３に記載の配合物。
【請求項１５】
１重量％未満（総重量比率）のジプロピレングリコールを含む、請求項１４に記載の配合物。
【請求項１６】
香料をさらに含む、請求項１〜１５のいずれか一項に記載の配合物。
【請求項１７】
３０重量％未満（総重量比率）の香料を含む、請求項１６に記載の配合物。
【請求項１８】
防腐剤をさらに含む、請求項１〜１７のいずれか一項に記載の配合物。
【請求項１９】
前記防腐剤が、ジメチロールジメチルヒダントインである、請求項１８に記載の配合物。
【請求項２０】
０．５重量％未満（総重量比率）のジメチロールジメチルヒダントインを含む、請求項１９に記載の配合物。
【請求項２１】
消泡剤をさらに含む、請求項１〜２０のいずれか一項に記載の配合物。
【請求項２２】
前記消泡剤が、高分子シリコーンである、請求項２１に記載の配合物。
【請求項２３】
１重量％未満（総重量比率）の高分子シリコーンを含む、請求項２２に記載の配合物。
【請求項２４】
水をさらに含む、請求項１〜２３のいずれか一項に記載の配合物。
【請求項２５】
空気清浄器のための溶液としての、請求項１〜２４のいずれか一項に記載の配合物の使用。
【請求項２６】
悪臭吸収性化合物の溶液を用意するステップと、
キレート剤の溶液を、前記悪臭吸収性化合物の溶液に添加するステップと、
可溶化剤の溶液を添加するステップと、
悪臭吸収性化合物、可溶化剤及びキレート剤を含有する溶液に抗菌性化合物の溶液を添加するステップと、を含み、
前記キレート剤の溶液の非存在下で、前記抗菌性化合物が、単独で混合したときに前記悪臭吸収性化合物と化学的に不適合であり、
前記可溶化剤の存在下で、前記キレート剤の溶液が、前記悪臭吸収性化合物の溶液が抗菌性化合物の溶液と混合された場合に、沈殿物又は濁った溶液の形成を防ぐ、
空気を殺菌し、空気中の悪臭を減らす配合物を形成する方法。
【発明の詳細な説明】
【発明の詳細な説明】
【０００１】
［発明の分野］
本発明は、空気を殺菌し、空気中の悪臭を減らす配合物に関する。
【０００２】
［発明の背景］
本発明の背景についての以下の考察は、本発明の理解を促すことを企図している。しかしながら、この考察は、言及する資料のいずれも、本出願優先日時点の任意の管轄区域において、公表されていた、知られていた、又は一般常識の一部であったと承認又は容認するものではないと理解すべきである。
【０００３】
一般によくある室内の悪臭源には、タバコの煙（アミン類、例えばニコチン）、ニンニク及びタマネギ（チオ化合物、例えばアリシン）などの辛味食物、並びに新鮮でない魚、トイレ及びヒトの汗（酸類、例えばイソ吉草酸）が挙げられる。空気中及び表面性の悪臭は、人が感知したとき、一般に、その人の精神的及び／又は身体的な健全性に有害な影響をもたらし、特に空気の循環が不十分で悪臭を屋外環境へ排気できない屋内に悪臭が存在するときにはことさらである。室内で大半の時間をすごす人々、特に子ども、高齢者、及びぜんそく、呼吸器又は心血管の疾患をもつ慢性患者にとって、このことは一層大きな健康リスクを課す。
【０００４】
空気中の悪臭を抑制、除去又は中和する方法及び組成物は、当技術分野では周知である。いくつもの消臭法が開発されてきたが、最も普及した消臭法は、悪臭を、１種又は複数の悪臭中和剤を含む脱臭性組成物と接触させることである。
【０００５】
多様な脱臭性組成物が、当技術分野では公知である。臭気マスキングは、１種の臭気を、別の臭気の添加によって意図的に隠すものである。臭気のマスキングは、通常、香水又は香料を使用して達成される。しかし、悪臭がもはや感知されないか、又は適当にマスキングされることを確実にするためには、大量の香料が必要である。さらに、こうしたマスキング技法は、悪臭源の除去又は改質は何も行わない。
【０００６】
したがって、空気を殺菌し、空気中の悪臭を減らす配合物を提供することが望まれる。
【０００７】
［発明の概要］
この文書を通じて、特段に逆の指示がない限り、「を含む」、「からなる」などの用語は、網羅的ではない、又は別の言い方をすれば、「を含むがそれらに限定されない」ことを意味するものと解釈されるべきである。
【０００８】
本発明の第１の態様において、空気を殺菌し、空気中の悪臭を減らす配合物を提供する。この配合物は、悪臭吸収性化合物と、単独で混合したときに悪臭吸収性化合物と化学的に不適合である抗菌性化合物と、可溶化剤と、可溶化剤の存在下で悪臭吸収性化合物が抗菌性化合物と混合された場合に沈殿物又は濁った溶液の形成を防ぐ悪臭吸収性化合物用キレート剤とを含む。
【０００９】
本発明の第２の態様において、空気を殺菌し、空気中の悪臭を減らす配合物を形成する方法を提供する。この方法は、悪臭吸収性化合物の溶液を用意するステップと、キレート剤の溶液を悪臭吸収性化合物の溶液に添加するステップと、可溶化剤の溶液を添加するステップと、抗菌性化合物の溶液を、悪臭吸収性化合物、キレート剤及び可溶化剤を含有する溶液に添加するステップとを含み、キレート剤の溶液の非存在下で、抗菌性化合物は、単独で混合された場合に悪臭吸収性化合物と化学的に不適合であり、さらに、可溶化剤の存在下で、キレート剤の溶液は、悪臭吸収性化合物の溶液が抗菌性化合物の溶液と混合された場合に、沈殿物又は濁った溶液の形成を防ぐ。
【００１０】
［発明の詳細な説明］
本発明は、空気を殺菌し、空気中の悪臭を減らす配合物に関する。
【００１１】
手短に言えば、空気中の悪臭は、空気から悪臭を吸収し除去することによって減らすことができる。
【００１２】
空気を殺菌するとは、臭気源であることが多い空気中の細菌又は微生物を死滅させる作用を指す。空気中の細菌の完全殺菌（即ち１００％）は、実際には、ほとんど達成されることはないことを理解し認識されたい。本発明に関しては、所与の期間で空気中の細菌の少なくとも８５％の殺菌が実現された場合に、空気は殺菌されていると言うこととする。
【００１３】
したがって、空気中に存在する悪臭の量を減らすことができ、同時に臭気発生細菌の量も減らすことができれば、空気の質は格段に高められる。本発明は、このような目的をもって開発された。
【００１４】
本発明の第１の実施形態において、空気を殺菌し、空気中の悪臭を減らす配合物を提供する。この配合物は、悪臭吸収性化合物と、単独で混合された場合に悪臭吸収性化合物と化学的に不適合である（ｃｈｅｍｉｃａｌｌｙ  ｉｎｃｏｍｐａｔｉｂｌｅ）抗菌性化合物と、可溶化剤と、可溶化剤の存在下で悪臭吸収性化合物が抗菌性化合物と混合された場合に沈殿物又は濁った溶液の形成を防ぐ悪臭吸収性化合物用キレート剤とを含む。
【００１５】
悪臭吸収性化合物は、アミノ酸により活性化される、リシノール酸の亜鉛塩を主体とした、効果の高い臭気吸収剤である。有利には、この悪臭吸収性化合物は水溶性である。好ましくは、悪臭吸収性化合物は、リシノール酸亜鉛（商品名テゴ（ＴＥＧＯ）（登録商標）ソーブ（Ｓｏｒｂ）Ａ３０、エボニックゴールドシュミット社（Ｅｖｏｎｉｋ  Ｇｏｌｄｓｃｈｍｉｄｔ  Ｃｏｒｐｏｒａｔｉｏｎ）製）であり、配合物の総重量に対して５重量％未満で存在する。リシノール酸亜鉛は、硫化水素、メルカプタン、チオエーテル、イソ吉草酸及びアンモニアといった臭気物質を化学反応によって効果的に抑制し、環境中への臭気排出が阻止される。リシノール酸亜鉛は、細菌性又は殺真菌性は有していない。
【００１６】
抗菌性化合物の殺菌範囲が、グラム陽性及びグラム陰性の細菌、酵母並びに真菌にまで及ぶと有利である。抗菌性化合物は、ＨＢＶ／ＨＩＶ、ワクシニア、単純ヘルペス、ＢＶＤＶ（ウシウイルス性下痢症ウイルス）／ＨＣＶ、ロタウイルス及びウシコロナウイルス／ＳＡＲＳコロナウイルスなどのウイルスを駆除することが好ましい。有利には、抗菌性化合物は水溶性である。一実施形態では、抗菌性化合物には、Ｎ−Ｃ１０−１６−アルキルトリメチレンジアミンのクロロ酢酸との反応生成物が挙げられる。さらに好ましくは、抗菌性化合物は、Ｎ−アルキルアミノプロピルグリシン（商品名レウォシド（ＲＥＷＯＣＩＤ）（登録商標）ＷＫ３０、エボニックゴールドシュミット社製）であり、配合物の総重量の１０重量％未満で存在する。
【００１７】
悪臭吸収性化合物のリシノール酸亜鉛を、単独で抗菌性化合物のＮ−アルキルアミノプロピルグリシンと混合すると、沈殿物の形成が始まり、濁った溶液が得られる。この濁った溶液は不安定であり、沈殿物の形成は、リシノール酸亜鉛とＮ−アルキルアミノプロピルグリシンとの化学反応が起きたことを示す。この化学反応の結果として、リシノール酸亜鉛は、以前ほど効果的に悪臭を吸収できない。同様に、Ｎ−アルキルアミノプロピルグリシンは、混合前に比べ、抗菌剤として効果的に機能できない。
【００１８】
Ｎ−アルキルアミノプロピルグリシン中のリシノール酸亜鉛の安定性を促進するために、キレートされたリシノール酸亜鉛溶液を、Ｎ−アルキルアミノプロピルグリシンと混合する前に、まずリシノール酸亜鉛用キレート剤がリシノール酸亜鉛と混合される。しかし、それでも濁った溶液ができることが判明している。
【００１９】
ところが、可溶化剤及び水を、キレートされたリシノール酸亜鉛及びＮ−アルキルアミノプロピルグリシンを含有した溶液に添加すると、今や澄んだ溶液が得られる。キレート剤は、可溶化剤の存在下で、リシノール酸亜鉛がＮ−アルキルアミノプロピルグリシンと混合された場合に、沈殿物又は濁った溶液の形成を防ぐ。リシノール酸亜鉛は、可溶化剤の存在下でのキレート剤添加により、Ｎ−アルキルアミノプロピルグリシン中で、今や混和性となり、澄んだ溶液を生成する。キレート剤がリシノール酸亜鉛の悪臭吸収能力を損なうことはない。有利には、キレート剤は、生分解性であり、広いｐＨの範囲にわたって安定である。好ましくは、キレート剤は、イミノジコハク酸ナトリウム（商品名ベイピュア（Ｂａｙｐｕｒｅ）（登録商標）ＣＸ、バイエル社（Ｂａｙｅｒ  Ｃｏｒｐｏｒａｔｉｏｎ）製）であり、配合物の総重量の５重量％未満で存在する。
【００２０】
好ましくは、可溶化剤は、主として、植物由来の親水性エモリエントエステルと、水素化ひまし油のポリエチレングリコール（ＰＥＧ）誘導体との組合せである。より好ましくは、可溶化剤は、エトキシ化パーム核油である。より好ましくは、可溶化剤は、ＰＥＧ−４５パーム核グリセリドとＰＥＧ−６カプリン酸／カプリル酸グリセリドとの組合せ（商品名クロモリエント（Ｃｒｏｍｏｌｌｉｅｎｔ）ＳＧ９０、クローダ社（Ｃｒｏｄａ  Ｉｎｃ）製）であり、配合物の総重量の４０重量％未満で存在する。
【００２１】
配合物の溶解性は、アルコール及び／又はグリコールの添加によってさらに高めることができる。配合物が、配合物の総重量に対して５重量％未満のエタノール及び１重量％未満のジプロピレングリコールをさらに含むと好ましい。
【００２２】
配合物は、香料をさらに含んでもよく、それは油性である。香料は、空気中に心地良いにおいをもたらすだけでなく、知覚の活性化の補助もする。このような香料は、一般に、リラクセーションを促し、心身を落ち着かせ、全体的に健全性を高める。好ましくは、香料は、配合物の全重量に対して３０重量％未満で存在する。
【００２３】
有利には、可溶化剤は、この油性香料の水性配合物中での溶解性も補助する。
【００２４】
防腐剤を、配合物の貯蔵期限を保持するために添加してもよい。一実施形態では、防腐剤は、ジメチロールジメチルヒダントイン、又は略してＤＭＤＭヒダントイン（商品名グライダント（Ｇｌｙｄａｎｔ）（登録商標）、ロンザグループ社（Ｌｏｎｚａ  Ｇｒｏｕｐ  Ｌｔｄ）製）であり、配合物の総重量に対して０．５重量％未満で存在する。
【００２５】
消泡剤を水性配合物に添加して、効果的な泡の抑制をすると有利である。消泡剤は、配合物の製造中、取扱い中及び使用中に、空気同伴（ａｉｒ  ｅｎｔｒａｉｎｍｅｎｔ）を減らすように作用する。好ましくは、消泡剤は、高分子シリコーン（商品名ダウコーニング（Ｄｏｗ  Ｃｏｒｎｉｎｇ）（登録商標）７４アディティブ（Ａｄｄｉｔｉｖｅ））であり、配合物の総重量に対して１重量％未満で存在する。
【実施例】
【００２６】
配合物の比較実験例を下に説明する。全ての実験例において、最初にその成分（該当する商品名で示す）を一緒に混合し、一様の混合物になるまで撹拌する。次いで、脱イオン水を、混合物にゆっくりと添加し、均質な溶液になるまで混合する。実験例４及び８は、本発明に従って与えられる。
【００２７】
実験例１
【００２８】
【表１】
2013521044.tif 000002
【００２９】
実験例２
【００３０】
【表２】
2013521044.tif 000003
【００３１】
実験例３
【００３２】
【表３】
2013521044.tif 000004
【００３３】
実験例４
【００３４】
【表４】
2013521044.tif 000005
【００３５】
実験例５
【００３６】
【表５】
2013521044.tif 000006
【００３７】
実験例６
【００３８】
【表６】
2013521044.tif 000007
【００３９】
実験例７
【００４０】
【表７】
2013521044.tif 000008
【００４１】
実験例８
【００４２】
【表８】
2013521044.tif 000009
【００４３】
結果
上に例示した配合物においては、におい測定チャンバ（アクリル製の正方形チャンバ  ４０ｃｍ×４０ｃｍ×４０ｃｍ）中における試験を実施した。この試験は、空気中の一般的な悪臭であるアンモニアの除去／減少における各試験配合物の効果を評価するために実施した。
【００４４】
各試験配合物５ミリリットル（ｍｌ）を市販の空気浄化容器に入れ、その空気浄化容器は、この場合、マジックボール（ＭａｇｉｃＢａｌｌ）アンティバック２Ｋ（Ａｎｔｉｂａｃ２Ｋ（登録商標））とし、脱イオン水４９５ｍｌを添加した（１：１００の希釈）。次いで、そのマジックボール及びアンモニア２５％溶液１ｍｌ（悪臭を含有した試験物質）を、アクリル製チャンバの中に入れた。そのにおいを５人の熟練評価者が評価した。
【００４５】
各評価者は、１秒後、１分後、１０分後それぞれの悪臭の強さを等級付けするよう求められた。
【００４６】
評価等級は、次のとおりに使用した。
５：非常に強い
４：強い
３：中程度
２：弱い
１：検出できない
【００４７】
以下は、におい試験の結果であった（５人の判定の平均値）。
【００４８】
試験物質：アンモニア、におい測定チャンバ内２５％溶液１ｍｌ
【００４９】
【表９】
2013521044.tif 000010
【００５０】
上記の得られた結果に基づけば、実験例４及び８（即ち、本発明による配合物）が、指定時間後に悪臭の強さを最も大きく低下させたことが明らかである。
【００５１】
本発明による配合物の抗菌効果をさらに明示するために、多様な微生物をこれらの配合物に対して実験室で試験した。その結果を下に示す。
【００５２】
実験例９
Ｎ−アルキルアミノプロピルグリシンを使用したアンティバック２Ｋ（登録商標）フルーティーアップル（Ｆｒｕｉｔｙ  Ａｐｐｌｅ）（１００倍に希釈）の以下の配合物を試験した。
【００５３】
【表１０】
2013521044.tif 000011
【００５４】
試験微生物：大腸菌（Ｅｓｃｈｅｒｉｃｈｉａ  ｃｏｌｉ）
【００５５】
【表１１】
2013521044.tif 000012
【００５６】
試験微生物：黄色ブドウ球菌（Ｓｔａｐｈｙｌｏｃｏｃｃｕｓ  ａｕｒｅｕｓ）
【００５７】
【表１２】
2013521044.tif 000013
【００５８】
試験微生物：枯草菌（Ｂａｃｉｌｌｕｓ  ｓｕｂｔｉｌｉｓ）
【００５９】
【表１３】
2013521044.tif 000014
【００６０】
試験微生物：腸炎菌（Ｓａｌｍｏｎｅｌｌａ  ｅｎｔｅｒｉｔｉｄｉｓ）
【００６１】
【表１４】
2013521044.tif 000015
【００６２】
実験例１０
Ｎ−アルキルアミノプロピルグリシンを使用したアンティバック２Ｋ（登録商標）フルーティーアップル（５００倍に希釈）の以下の配合物を試験した。
【００６３】
【表１５】
2013521044.tif 000016
【００６４】
試験微生物：大腸菌（Ｅｓｃｈｅｒｉｃｈｉａ  ｃｏｌｉ）
【００６５】
【表１６】
2013521044.tif 000017
【００６６】
試験微生物：黄色ブドウ球菌（Ｓｔａｐｈｙｌｏｃｏｃｃｕｓ  ａｕｒｅｕｓ）
【００６７】
【表１７】
2013521044.tif 000018
【００６８】
試験微生物：枯草菌（Ｂａｃｉｌｌｕｓ  ｓｕｂｔｉｌｉｓ）
【００６９】
【表１８】
2013521044.tif 000019
【００７０】
試験微生物：腸炎菌（Ｓａｌｍｏｎｅｌｌａ  ｅｎｔｅｒｉｔｉｄｉｓ）
【００７１】
【表１９】
2013521044.tif 000020
【００７２】
前述した配合物についてのこれらの結果は、本発明による悪臭吸収性化合物と抗菌性化合物との相乗作用により、個々の化合物の単独による効果と比較して、空気の質が格段に高まっていることを明示している。
【００７３】
本発明の配合物は、植物抽出物を含んだ、抗菌性及び悪臭除去性の水性配合物である。これは、非毒性及び非発がん性、非刺激性、非腐食性、生分解性、容易な取扱い性及び非汚染性である。したがって、この配合物は、ヒト、動物及び環境に有害ではない。この強力な配合物は、広い範囲の抗菌効果を有し、グラム陽性及びグラム陰性の細菌、酵母、真菌、及びエンベロープウイルスを除去する。
【００７４】
前述の発明は、理解を明確にするために、図表及び実験例によって、及び１つ又は複数の実施形態に関して、少し詳しく記載したが、本発明の教示に照らせば、添付の特許請求の範囲に記載した本発明の精神及び範囲から逸脱することなく、一定の変更、変形及び修正をなし得ることが、当業者には容易に明らかである。
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
リシノール酸の亜鉛塩である悪臭吸収性化合物と、
単独で混合された場合に前記悪臭吸収性化合物と化学的に不適合であり、且つＮ−Ｃ１０−１６−アルキルトリメチレンジアミンのクロロ酢酸との反応生成物からなる群より選択される一つである抗菌性化合物と、
可溶化剤と、
前記可溶化剤の存在下で、前記悪臭吸収性化合物が前記抗菌性化合物と混合された場合に沈殿物又は濁った溶液の形成を防ぐ悪臭吸収性化合物用キレート剤と、
を含む、空気を殺菌し、空気中の悪臭を減らす配合物。
【請求項２】
前記悪臭吸収性化合物が、リシノール酸亜鉛である、請求項１に記載の配合物。
【請求項３】
５重量％未満（総重量比率）のリシノール酸亜鉛を含む、請求項２に記載の配合物。
【請求項４】
前記抗菌性化合物が、Ｎ−アルキルアミノプロピルグリシンである、請求項１〜３のいずれか一項に記載の配合物。
【請求項５】
１０重量％未満（総重量比率）のＮ−アルキルアミノプロピルグリシンを含む、請求項４に記載の配合物。
【請求項６】
前記キレート剤が、イミノジコハク酸ナトリウムである、請求項１〜５のいずれか一項に記載の配合物。
【請求項７】
５重量％未満（総重量比率）のイミノジコハク酸ナトリウムを含む、請求項６に記載の配合物。
【請求項８】
前記可溶化剤が、植物由来の親水性エモリエントエステルと水素化ひまし油のポリエチレングリコール（ＰＥＧ）誘導体との組合せ、アルコール、グリコール及びそれらの混合物からなる群から選択される、請求項１〜７のいずれか一項に記載の配合物。
【請求項９】
前記可溶化剤が、エトキシ化パーム核油である、請求項８に記載の配合物。
【請求項１０】
前記可溶化剤が、ＰＥＧ−４５パーム核グリセリドとＰＥＧ−６カプリン酸／カプリル酸グリセリドとの組合せである、請求項９に記載の配合物。
【請求項１１】
４０重量％未満（総重量比率）のＰＥＧ−４５パーム核グリセリド及びＰＥＧ−６カプリン酸／カプリル酸グリセリドを含む、請求項１０に記載の配合物。
【請求項１２】
前記可溶化剤が、エタノールをさらに含む、請求項１１に記載の配合物。
【請求項１３】
５重量％未満（総重量比率）のエタノールを含む、請求項１２に記載の配合物。
【請求項１４】
前記可溶化剤が、ジプロピレングリコールをさらに含む、請求項１３に記載の配合物。
【請求項１５】
１重量％未満（総重量比率）のジプロピレングリコールを含む、請求項１４に記載の配合物。
【請求項１６】
香料をさらに含む、請求項１〜１５のいずれか一項に記載の配合物。
【請求項１７】
３０重量％未満（総重量比率）の香料を含む、請求項１６に記載の配合物。
【請求項１８】
防腐剤をさらに含む、請求項１〜１７のいずれか一項に記載の配合物。
【請求項１９】
前記防腐剤が、ジメチロールジメチルヒダントインである、請求項１８に記載の配合物。
【請求項２０】
０．５重量％未満（総重量比率）のジメチロールジメチルヒダントインを含む、請求項１９に記載の配合物。
【請求項２１】
消泡剤をさらに含む、請求項１〜２０のいずれか一項に記載の配合物。
【請求項２２】
前記消泡剤が、高分子シリコーンである、請求項２１に記載の配合物。
【請求項２３】
１重量％未満（総重量比率）の高分子シリコーンを含む、請求項２２に記載の配合物。
【請求項２４】
水をさらに含む、請求項１〜２３のいずれか一項に記載の配合物。
【請求項２５】
空気清浄器のための溶液としての、請求項１〜２４のいずれか一項に記載の配合物の使用。
【請求項２６】
リシノール酸の亜鉛塩である悪臭吸収性化合物の溶液を用意するステップと、
キレート剤の溶液を、前記悪臭吸収性化合物の溶液に添加するステップと、
可溶化剤の溶液を添加するステップと、
悪臭吸収性化合物、可溶化剤及びキレート剤を含有する溶液に抗菌性化合物の溶液を添加するステップと、を含み、
前記キレート剤の溶液の非存在下で、前記抗菌性化合物が、単独で混合したときに前記悪臭吸収性化合物と化学的に不適合であり、且つ前記抗菌性化合物がＮ−Ｃ１０−１６−アルキルトリメチレンジアミンのクロロ酢酸との反応生成物からなる群より選択される一つであり、
前記可溶化剤の存在下で、前記キレート剤の溶液が、前記悪臭吸収性化合物の溶液が抗菌性化合物の溶液と混合された場合に、沈殿物又は濁った溶液の形成を防ぐ、
空気を殺菌し、空気中の悪臭を減らす配合物を形成する方法。
【国際調査報告】
2013521044.tif 000021
2013521044.tif 000022